(57)【特許請求の範囲】
【請求項１】
ドキュメントの印象を表現する選択肢群を含むデータベースであって、
出力画面の領域を複数の分割画面領域に分割し、前記分割画面領域毎に印象表現を割り当てた印象マップの全体を網羅する選択肢を含む第１の印象表現データベースと、
前記印象マップの一部の領域を前記第１の印象表現データベースに含まれる選択肢より詳しく表現する選択肢を含む第２の印象表現データベースと、からなる複数の印象表現データベースと、
前記複数の印象表現データベースに含まれる選択肢に対してドキュメントを見た人間が感じる印象を表す印象情報を関連付けた印象評価データベースと、
を記憶する記憶手段と、
前記複数の印象表現データベースからそれぞれ少なくとも１つユーザが選択した、ドキュメントのデザイン制作の目標とする印象に合った選択肢を取得する印象情報取得手段と、
前記印象評価データベースを参照して、前記複数の印象表現データベースから選択された選択肢に関連付けられている印象情報を抽出して、抽出された印象情報の少なくとも１つをドキュメントのデザイン制作の目標とする印象を表す目標印象情報とする目標印象情報設定手段と、
前記目標印象情報が割り当てられた前記印象マップにおける領域に前記目標印象情報を表示する出力手段と、
を含むことを特徴とするデザイン制作支援装置。
【請求項２】
ドキュメントの印象を表現する選択肢群を含むデータベースであって、
出力画面の領域を複数の分割画面領域に分割し、前記分割画面領域毎に印象表現を割り当てた印象マップの全体を網羅する選択肢を含む第１の印象表現データベースと、
前記印象マップの一部の領域を前記第１の印象表現データベースに含まれる選択肢より詳しく表現する選択肢を含む第２の印象表現データベースと、からなる複数の印象表現データベースと、
前記複数の印象表現データベースに含まれる選択肢に対してドキュメントを見た人間が感じる印象を表す印象情報を関連付けた印象評価データベースと、
を記憶する記憶手段と、
前記複数の印象表現データベースからそれぞれ少なくとも１つユーザが選択した、実際にドキュメントのデザインから受ける印象に合った選択肢を取得する印象情報取得手段と、
前記印象評価データベースを参照して、前記複数の印象表現データベースから選択された選択肢に関連付けられている印象情報を抽出して、抽出された印象情報の少なくとも１つをドキュメントのデザインが与える印象を表すユーザ印象情報とするユーザ印象情報設定手段と、
前記ユーザ印象情報が割り当てられた前記印象マップにおける領域に前記ユーザ印象情報を表示する出力手段と、
を含むことを特徴とするデザイン制作支援装置。
【請求項３】
請求項１に記載のデザイン制作支援装置であって、
前記印象評価データベースは、
前記第１の印象表現データベースに含まれる選択肢の各々に対して印象情報及び当該印象情報に対する重み付け値を登録する第１の印象評価データベースと、
前記第２の印象表現データベースに含まれる選択肢の各々に対して印象情報及び当該印象情報に対する重み付け値を登録する第２の印象評価データベースと、を含み、
前記目標印象情報設定手段では、
前記第１の印象評価データベースを参照して、前記第１の印象表現データベースから選択された選択肢に関連付けられている印象情報及び当該印象情報の重み付け値を抽出し、
前記第２の印象評価データベースを参照して、前記第２の印象表現データベースから選択された選択肢に関連付けられている印象情報及び当該印象情報の重み付け値を抽出し、
それぞれから抽出された同一の印象情報の重み付け値を乗算して、最も高い乗算値を有する印象情報を前記目標印象情報とする、
ことを特徴とするデザイン制作支援装置。
【請求項４】
請求項２に記載のデザイン制作支援装置であって、
前記印象評価データベースは、
前記第１の印象表現データベースに含まれる選択肢の各々に対して印象情報及び当該印象情報に対する重み付け値を登録する第１の印象評価データベースと、
前記第２の印象表現データベースに含まれる選択肢の各々に対して印象情報及び当該印象情報に対する重み付け値を登録する第２の印象評価データベースと、を含み、
前記ユーザ印象情報設定手段では、
前記第１の印象評価データベースを参照して、前記第１の印象表現データベースから選択された選択肢に関連付けられている印象情報及び当該印象情報の重み付け値を抽出し、
前記第２の印象評価データベースを参照して、前記第２の印象表現データベースから選択された選択肢に関連付けられている印象情報及び当該印象情報の重み付け値を抽出し、
それぞれから抽出された同一の印象情報の重み付け値を乗算して、最も高い乗算値を有する印象情報を前記ユーザ印象情報とする、
ことを特徴とするデザイン制作支援装置。
【請求項５】
請求項１〜４のいずれか１つに記載のデザイン制作支援装置であって、
前記選択肢群は、ドキュメントのデザインの印象を表現する形容詞であることを特徴とするデザイン制作支援装置。
【請求項６】
ドキュメントの印象を表現する選択肢群を含むデータベースであって、
出力画面の領域を複数の分割画面領域に分割し、前記分割画面領域毎に印象表現を割り当てた印象マップの全体を網羅する選択肢を含む第１の印象表現データベースと、
前記印象マップの一部の領域を前記第１の印象表現データベースに含まれる選択肢より詳しく表現する選択肢を含む第２の印象表現データベースと、からなる複数の印象表現データベースと、
前記複数の印象表現データベースに含まれる選択肢に対してドキュメントを見た人間が感じる印象を表す印象情報を関連付けた印象評価データベースと、
を記憶する記憶手段を備えるコンピュータを、
前記複数の印象表現データベースからそれぞれ少なくとも１つユーザが選択した、ドキュメントのデザイン制作の目標とする印象に合った選択肢を取得する印象情報取得手段と、
前記印象評価データベースを参照して、前記複数の印象表現データベースから選択された選択肢に関連付けられている印象情報を抽出して、抽出された印象情報の少なくとも１つをドキュメントのデザイン制作の目標とする印象を表す目標印象情報とする目標印象情報設定手段と、
前記目標印象情報が割り当てられた前記印象マップにおける領域に前記目標印象情報を表示する出力手段と、
として機能させることを特徴とするデザイン制作支援プログラム。
【請求項７】
ドキュメントの印象を表現する選択肢群を含むデータベースであって、
出力画面の領域を複数の分割画面領域に分割し、前記分割画面領域毎に印象表現を割り当てた印象マップの全体を網羅する選択肢を含む第１の印象表現データベースと、
前記印象マップの一部の領域を前記第１の印象表現データベースに含まれる選択肢より詳しく表現する選択肢を含む第２の印象表現データベースと、からなる複数の印象表現データベースと、
前記複数の印象表現データベースに含まれる選択肢に対してドキュメントを見た人間が感じる印象を表す印象情報を関連付けた印象評価データベースと、
を記憶する記憶手段を備えるコンピュータを、
前記複数の印象表現データベースからそれぞれ少なくとも１つユーザが選択した、実際にドキュメントのデザインから受ける印象に合った選択肢を取得する印象情報取得手段と、
前記印象評価データベースを参照して、前記複数の印象表現データベースから選択された選択肢に関連付けられている印象情報を抽出して、抽出された印象情報の少なくとも１つをドキュメントのデザインが与える印象を表すユーザ印象情報とするユーザ印象情報設定手段と、
前記ユーザ印象情報が割り当てられた前記印象マップにおける領域に前記ユーザ印象情報を表示する出力手段と、
として機能させることを特徴とするデザイン制作支援プログラム。
【請求項８】
請求項６に記載のデザイン制作支援プログラムであって、
前記印象評価データベースは、
前記第１の印象表現データベースに含まれる選択肢の各々に対して印象情報及び当該印象情報に対する重み付け値を登録する第１の印象評価データベースと、
前記第２の印象表現データベースに含まれる選択肢の各々に対して印象情報及び当該印象情報に対する重み付け値を登録する第２の印象評価データベースと、を含み、
前記目標印象情報設定手段では、
前記第１の印象評価データベースを参照して、前記第１の印象表現データベースから選択された選択肢に関連付けられている印象情報及び当該印象情報の重み付け値を抽出し、
前記第２の印象評価データベースを参照して、前記第２の印象表現データベースから選択された選択肢に関連付けられている印象情報及び当該印象情報の重み付け値を抽出し、
それぞれから抽出された同一の印象情報の重み付け値を乗算して、最も高い乗算値を有する印象情報を前記目標印象情報とする、
ことを特徴とするデザイン制作支援プログラム。
【請求項９】
請求項７に記載のデザイン制作支援プログラムであって、
前記印象評価データベースは、
前記第１の印象表現データベースに含まれる選択肢の各々に対して印象情報及び当該印象情報に対する重み付け値を登録する第１の印象評価データベースと、
前記第２の印象表現データベースに含まれる選択肢の各々に対して印象情報及び当該印象情報に対する重み付け値を登録する第２の印象評価データベースと、を含み、
前記ユーザ印象情報設定手段では、
前記第１の印象評価データベースを参照して、前記第１の印象表現データベースから選択された選択肢に関連付けられている印象情報及び当該印象情報の重み付け値を抽出し、
前記第２の印象評価データベースを参照して、前記第２の印象表現データベースから選択された選択肢に関連付けられている印象情報及び当該印象情報の重み付け値を抽出し、
それぞれから抽出された同一の印象情報の重み付け値を乗算して、最も高い乗算値を有する印象情報を前記ユーザ印象情報とする、
ことを特徴とするデザイン制作支援プログラム。
【発明の詳細な説明】
【技術分野】
【０００１】
本発明は、目標とするデザインの印象、実際に制作されたデザインの印象及びデザインからユーザが受ける印象に基づいてデザイン制作の支援を行うデザイン制作支援装置及びデザイン制作支援プログラムに関する。
【背景技術】
【０００２】
企業のコーポレートマーク、商品、プレゼンテーション資料やウェブサイトのページ等に施されたデザインは顧客や使用者等が受ける印象（イメージ）に対して大きな影響を与える。従って、そのデザイン制作においては、企業戦略、商品販売戦略、情報提供等をする者が受け手（ユーザ）に対して与えようとする印象を的確に表現することが重要である。
【０００３】
例えば、商品のデザイン制作をデザイン制作者に依頼して行う場合には、図３４に示すように、依頼主であるクライアントが商品やプレゼンテーション資料に必要とされる目標印象を決定し（Ｓ１００）、デザイン制作者がその印象に合致するデザインの制作を行い（Ｓ１０２）、制作されたデザインの印象の評価を行い（Ｓ１０４）、必要とする印象と現実のデザインの印象との相違に基づいて依頼主はデザイン修正が必要な場合は修正を指示し、修正が必要でない場合には最終的なデザインが決定される（Ｓ１０６）。
【０００４】
このようなデザイン制作の中で、商品、プレゼンテーション資料及びウェブページ等のドキュメントの描画・着色を支援するアプリケーションソフトウェアが多数開発されている。これらの多くは、実際の着色をアプリケーションの使用者に委ねており、デザイン制作に不慣れな使用者は印象を的確に表すことが困難である。
【０００５】
そこで、人間の感性に基づいて処理やドキュメントの印象評価を行う方法についての研究がなされている。
【０００６】
特許文献１には、対話型配色支援装置が開示されている。この装置では、デザイン制作者がドキュメントを編集する際に、背景、文字又はグラフ等の配色の適正度を数値表示、絵表示又は量表示等により使用者に示すことができる。また、デザイン制作者が目標とする印象に対して適正度が高い配色を候補パレットとして提示することができる。
【０００７】
また、特許文献２には、デザイン制作の際に目標となる印象に関する文字情報を目標イメージとして決定する目標イメージ決定工程と、実際に制作されたデザインの印象に関する文字情報をデザインイメージとして求めるデザインイメージ評価工程とを実行し、イメージに関する文字情報を表示画面の各領域に割り当てたイメージマップ画面と、イメージマップ画面の領域のうち目標イメージ情報に対応する領域に目標イメージ情報と、デザインイメージ情報に対応する領域にデザインイメージと、を重ね合わせて表示する技術が開示されている。
【０００８】
【特許文献１】特開平８−２４９４４１号公報
【特許文献２】特開２００４−１０２７３４号公報
【発明の開示】
【発明が解決しようとする課題】
【０００９】
ところが、ドキュメントの印象を表現する印象表現情報には様々な形態があり、目標となる印象やドキュメントからユーザが実際に受けた印象を適切に表す印象表現情報を選択することは困難である。その結果、ドキュメントを制作する際に、制作の目標となる印象が不明確となったり、制作されたドキュメントに対する実際のユーザの印象の評価が不明確となったりする。
【００１０】
例えば、上記特許文献２では、ドキュメントの印象を表すために、「暖かい」と「冷たい」という印象、及び「柔らかい」と「堅い」という印象をイメージマップ上の空間に配置してそのイメージマップ上の各領域に相当する文字情報を用いている。しかしながら、ドキュメントの印象をさらに的確に示すためには、暖かさや堅さ等の他に「親近感」や「信頼感」という印象の方向性から評価を行ったり、文字情報以外の画像情報等を用いて評価を行うことができなかった。
【００１１】
本発明は、上記従来の技術の課題を鑑み、従来よりも適切な印象の決定、評価及び修正を容易とするデザイン制作支援装置及びデザイン制作支援プログラムを提供することを目的とする。
【課題を解決するための手段】
【００１２】
本発明は、ドキュメントの印象を表現する選択肢群を含むデータベースであって、出力画面の領域を複数の分割画面領域に分割し、前記分割画面領域毎に印象表現を割り当てた印象マップの全体を網羅する選択肢を含む第１の印象表現データベースと、前記印象マップの一部の領域を前記第１の印象表現データベースに含まれる選択肢より詳しく表現する選択肢を含む第２の印象表現データベースと、からなる複数の印象表現データベースと、前記複数の印象表現データベースに含まれる選択肢に対してドキュメントを見た人間が感じる印象を表す印象情報を関連付けた印象評価データベースと、を記憶する記憶手段と、前記複数の印象表現データベースからそれぞれ少なくとも１つユーザが選択した、ドキュメントのデザイン制作の目標とする印象に合った選択肢を取得する印象情報取得手段と、前記印象評価データベースを参照して、前記複数の印象表現データベースから選択された選択肢に関連付けられている印象情報を抽出して、抽出された印象情報の少なくとも１つをドキュメントのデザイン制作の目標とする印象を表す目標印象情報とする目標印象情報設定手段と、前記目標印象情報が割り当てられた前記印象マップにおける領域に前記目標印象情報を表示する出力手段と、を含むことを特徴とするデザイン制作支援装置である。
【００１３】
デザイン制作支援装置は、コンピュータによってデザイン制作支援プログラムを実行することによって実現することができる。すなわち、本発明は、ドキュメントの印象を表現する選択肢群を含むデータベースであって、出力画面の領域を複数の分割画面領域に分割し、前記分割画面領域毎に印象表現を割り当てた印象マップの全体を網羅する選択肢を含む第１の印象表現データベースと、前記印象マップの一部の領域を前記第１の印象表現データベースに含まれる選択肢より詳しく表現する選択肢を含む第２の印象表現データベースと、からなる複数の印象表現データベースと、前記複数の印象表現データベースに含まれる選択肢に対してドキュメントを見た人間が感じる印象を表す印象情報を関連付けた印象評価データベースと、を記憶する記憶手段を備えるコンピュータを、前記複数の印象表現データベースからそれぞれ少なくとも１つユーザが選択した、ドキュメントのデザイン制作の目標とする印象に合った選択肢を取得する印象情報取得手段と、前記印象評価データベースを参照して、前記複数の印象表現データベースから選択された選択肢に関連付けられている印象情報を抽出して、抽出された印象情報の少なくとも１つをドキュメントのデザイン制作の目標とする印象を表す目標印象情報とする目標印象情報設定手段と、前記目標印象情報が割り当てられた前記印象マップにおける領域に前記目標印象情報を表示する出力手段と、として機能させることを特徴とするデザイン制作支援プログラムにより実現される。
【００１４】
また、本発明は、ドキュメントの印象を表現する選択肢群を含むデータベースであって、出力画面の領域を複数の分割画面領域に分割し、前記分割画面領域毎に印象表現を割り当てた印象マップの全体を網羅する選択肢を含む第１の印象表現データベースと、前記印象マップの一部の領域を前記第１の印象表現データベースに含まれる選択肢より詳しく表現する選択肢を含む第２の印象表現データベースと、からなる複数の印象表現データベースと、前記複数の印象表現データベースに含まれる選択肢に対してドキュメントを見た人間が感じる印象を表す印象情報を関連付けた印象評価データベースと、を記憶する記憶手段と、前記複数の印象表現データベースからそれぞれ少なくとも１つユーザが選択した、実際にドキュメントのデザインから受ける印象に合った選択肢を取得する印象情報取得手段と、前記印象評価データベースを参照して、前記複数の印象表現データベースから選択された選択肢に関連付けられている印象情報を抽出して、抽出された印象情報の少なくとも１つをドキュメントのデザインが与える印象を表すユーザ印象情報とするユーザ印象情報設定手段と、前記ユーザ印象情報が割り当てられた前記印象マップにおける領域に前記ユーザ印象情報を表示する出力手段と、を含むことを特徴とするデザイン制作支援装置である。
【００１５】
デザイン制作支援装置は、コンピュータによってデザイン制作支援プログラムを実行することによって実現することができる。すなわち、本発明は、ドキュメントの印象を表現する選択肢群を含むデータベースであって、出力画面の領域を複数の分割画面領域に分割し、前記分割画面領域毎に印象表現を割り当てた印象マップの全体を網羅する選択肢を含む第１の印象表現データベースと、前記印象マップの一部の領域を前記第１の印象表現データベースに含まれる選択肢より詳しく表現する選択肢を含む第２の印象表現データベースと、からなる複数の印象表現データベースと、前記複数の印象表現データベースに含まれる選択肢に対してドキュメントを見た人間が感じる印象を表す印象情報を関連付けた印象評価データベースと、を記憶する記憶手段を備えるコンピュータを、前記複数の印象表現データベースからそれぞれ少なくとも１つユーザが選択した、実際にドキュメントのデザインから受ける印象に合った選択肢を取得する印象情報取得手段と、前記印象評価データベースを参照して、前記複数の印象表現データベースから選択された選択肢に関連付けられている印象情報を抽出して、抽出された印象情報の少なくとも１つをドキュメントのデザインが与える印象を表すユーザ印象情報とするユーザ印象情報設定手段と、前記ユーザ印象情報が割り当てられた前記印象マップにおける領域に前記ユーザ印象情報を表示する出力手段と、として機能させることを特徴とするデザイン制作支援プログラムにより実現される。
【００１６】
ここで、前記印象評価データベースは、前記第１の印象表現データベースに含まれる選択肢の各々に対して印象情報及び当該印象情報に対する重み付け値を登録する第１の印象評価データベースと、前記第２の印象表現データベースに含まれる選択肢の各々に対して印象情報及び当該印象情報に対する重み付け値を登録する第２の印象評価データベースと、を含み、前記目標印象情報設定手段では、前記第１の印象評価データベースを参照して、前記第１の印象表現データベースから選択された選択肢に関連付けられている印象情報及び当該印象情報の重み付け値を抽出し、前記第２の印象評価データベースを参照して、前記第２の印象表現データベースから選択された選択肢に関連付けられている印象情報及び当該印象情報の重み付け値を抽出し、それぞれから抽出された同一の印象情報の重み付け値を乗算して、最も高い乗算値を有する印象情報を前記目標印象情報とすることが好適である。
【００１７】
また、前記印象評価データベースは、前記第１の印象表現データベースに含まれる選択肢の各々に対して印象情報及び当該印象情報に対する重み付け値を登録する第１の印象評価データベースと、前記第２の印象表現データベースに含まれる選択肢の各々に対して印象情報及び当該印象情報に対する重み付け値を登録する第２の印象評価データベースと、を含み、前記ユーザ印象情報設定手段では、前記第１の印象評価データベースを参照して、前記第１の印象表現データベースから選択された選択肢に関連付けられている印象情報及び当該印象情報の重み付け値を抽出し、前記第２の印象評価データベースを参照して、前記第２の印象表現データベースから選択された選択肢に関連付けられている印象情報及び当該印象情報の重み付け値を抽出し、それぞれから抽出された同一の印象情報の重み付け値を乗算して、最も高い乗算値を有する印象情報を前記ユーザ印象情報とすることが好適である。
【００１８】
例えば、前記選択肢群は、ドキュメントのデザインの印象を表現する形容詞とすることができる。
【００２０】
例えば、印象マップは、各々の領域をドキュメントの印象を示す領域として割り当てたものである。印象マップには座標軸を設けて、その座標軸に沿って印象が所定の傾向で変化していくように印象を表す情報を割り当てる。例えば、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す印象情報を割り当てる。このような印象マップ上において、目標印象表現やユーザ印象表現に一致する印象表現が割り当てられた領域に目標印象表現やユーザ印象表現を表示することによって、ユーザは目標印象表現やユーザ印象表現を視覚的に容易に把握することができる。
【発明の効果】
【００２１】
本発明によれば、異なる選択肢群を用いて、それぞれの選択肢群から得られたドキュメントの印象の評価結果を用いて被評価ドキュメントの印象を適切に評価することができる。
【発明を実施するための最良の形態】
【００２２】
１．装置構成
本発明の実施の形態におけるデザイン制作支援装置は、図１のように、マネジメントサーバ１００、クライアントコンピュータ１０２ａ，１０２ｂ・・・及びネットワーク１０４から構成される。マネジメントサーバ１００及びクライアントコンピュータ１０２ａ，１０２ｂ・・・は、ネットワーク１０４を介して、情報伝達可能に接続される。
【００２３】
マネジメントサーバ１００は、図２のように、制御部１０、記憶部１２、入力部１４、出力部１６及びネットワークインターフェース部１８から基本的に構成される。
【００２４】
制御部１０は、記憶部１２に保存されたデザイン制作支援プログラムを読み出して実行する。また、処理に必要なデータを入力部１４、ネットワーク１０４から取り込み、記憶部１２に格納する。また、処理に必要な場合には、記憶部１２に保持されたデータを読み出して処理に供する。さらに、処理結果を再び記憶部１２に格納し、必要に応じて出力部１６又はネットワーク１０４に出力する。
【００２５】
記憶部１２は、デザイン制作支援プログラム及び入力部１４やネットワークから取り込まれるキーワード等の各種データを格納及び保持する。また、処理に必要とされる印象表現データベース、印象評価データベース、デザイン評価データベース、デザインデータベース、印象マップ表示用データベース等のデータベースを格納及び保持する。各々のデータベースの内容及び使用方法については後述する。記憶部１２としては、主として半導体メモリが用いられるが、例えば、ハードディスク、光ディスク、光磁気ディスク、磁気テープなどの記憶装置を用いることもできる。
【００２６】
入力部１４は、使用者が処理に必要なデータを入力する際に用いられる。入力部１４としては、例えば、キーボード等の文字入力装置やマウス、ライトペン等のポインティングデバイスを用いることができる。また、紙などの記録媒体に作成された既存のプレゼンテーション資料等を電子データとして読み込む場合には、スキャナ等のドキュメント読取装置、音声等を入力する場合にはデジタル信号への変換が可能な音声入力装置を用いることができる。
【００２７】
出力部１６は、処理に必要なデータの入力を促す入力画面、制御部１０での処理結果を示す出力画面等を表示する。出力部１６としては、例えば、ディスプレイ、プリンタ等のドキュメント出力装置を用いることができる。
【００２８】
ネットワークインターフェース部１８は、マネジメントサーバ１００をネットワーク１０４と情報伝達可能に接続するために用いられる。
【００２９】
また、クライアントコンピュータ１０２ａ，１０２ｂ・・・もマネジメントサーバ１００と同様にコンピュータの基本構成を有する。クライアントコンピュータ１０２ａ，１０２ｂ・・・においても、ネットワーク１０４を介することによって、マネジメントサーバ１００に対して処理に必要な情報を送信したり、マネジメントサーバ１００における処理結果を受信したりすることができる。また、以下に示すデザイン制作支援方法の処理の一部をクライアントコンピュータ１０２で実行させてもよい。
【００３０】
２．デザイン制作支援方法
本実施の形態におけるデザイン制作支援方法を、図３を参照して、以下に詳細に説明する。なお、本願請求項に係る発明における各手段は、以下に示すデザイン制作支援方法の各工程をコンピュータによって処理することによって実現される。
【００３１】
ここで、デザインの制作を行う者（以下、デザイン制作者という）、デザイン制作者に対してデザインの制作を依頼する者（以下、依頼主という）及び制作されたデザインの受け手となる者（以下、ユーザという）がシステムを利用するものとして説明を行う。また、デザイン制作者、依頼主及びユーザのいずれもが行うことができる作業については、一般的に操作者が操作を行うものとする。通常、デザイン制作者、依頼主及びユーザは異なる者であるが、デザイン制作者自身が制作したデザインを適切に修正するときなどは、デザイン制作者、依頼主及びユーザが同一者となる場合もある。
【００３２】
クライアントコンピュータ１０２ａ，１０２ｂ・・・は、ネットワーク１０４を介して、それぞれマネジメントサーバ１００と接続されて通信を行い、いずれもデザイン制作者の端末としても、依頼主の端末としても機能することができる。以下の説明においては便宜上、操作者はマネジメントサーバ１００を用いて処理を行うものとする。
【００３３】
デザイン制作支援方法は、図３のように、ステップＳ１０の目標印象決定工程、ステップＳ２０のデザイン印象評価工程、ステップＳ３０のユーザ印象取得工程及びステップＳ４０の印象提示・修正工程を含んでなる。
【００３４】
これらの各工程は、コンピュータで処理可能なデザイン制作支援プログラムをマネジメントサーバ１００の記憶部１２に格納及び保持し、マネジメントサーバ１００によってそのプログラムを実行することによって実現される。
【００３５】
プログラムの処理が開始されると、ステップＳ０において、図４のように、制御部１０はメインメニュー画面１０００を出力部１６に表示させ、操作者に対して所望の処理を選択するように促す。ここで、メインメニュー画面１０００においては、マウスポインタ５が表示され、所望の処理を示す画面位置をクリックすることによって、各処理の実行が開始される。
【００３６】
また、メインメニュー画面１０００には、制作の対象となっているデザインの識別番号を入力するボックス１５が設けられており、以下の処理において対象となるデータベース等はこのボックス１５に入力された番号で識別されることとなる。
【００３７】
例えば、ボックス１５に識別番号として“９”を入力し、目標印象決定ボタン２０が表示されている位置にマウスポインタ５を移動させ、マウスをクリックすることによって、デザインの識別番号は９となり、ステップＳ１０の目標印象決定工程に処理が移行する。同様に、ステップＳ２０のデザイン印象評価工程、ステップＳ３０のユーザ印象取得工程、ステップＳ４０の印象提示・修正工程に処理を移行させる場合もそれぞれデザイン印象評価ボタン２２、ユーザ印象取得ボタン２４、印象提示・修正ボタン２６が表示されている位置にマウスポインタ５を移動させてマウスをクリックすることによって処理を移行させることができる。
【００３８】
２−１．目標印象決定工程
ステップＳ１０の目標印象決定工程では、制作対象となるデザインに必要とされる印象に関する情報（以下、目標印象情報という）が定められる。目標印象決定工程は、図５に示すフローチャートによって処理される。
【００３９】
まず、ステップＳ１０ａにおいて、制御部１０は、目標印象入力画面１００２Ａを出力部１６に表示させる。目標印象入力画面１００２Ａは、図６に示すように、デザインの印象を表現する複数の情報を提示して、依頼主からデザイン制作の目標となる印象にあった情報を選択させるものである。
【００４０】
ここで、デザインの印象を表現する情報は、デザインの印象を端的に表現する形容詞群からなる文字情報、複数の色彩を組み合わせたカラーパレット群からなる色彩情報等を、デザイン制作の対象に応じて適宜選択して用いることが好適である。これらの情報は、印象表現データベースとして予め記憶部１２に保存しておくことによって、適宜読み出して用いることができる。
【００４１】
本実施の形態では、まず、図７（ａ）の第１の印象表現データベースを用いてドキュメントの印象をユーザから取得する。第１の印象表現データベースは、図８に示すような印象マップの全体を網羅する形容詞の表現を含むものである。ここで、印象マップとは、表示画面を複数の領域に分割し、各々の領域をドキュメントの印象を示す領域として割り当てたものである。印象マップには座標軸を設けて、その座標軸に沿って印象が所定の傾向で変化していくように印象を表す情報を割り当てる。例えば、図８の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す情報が割り当てられている。なお、印象マップへの情報の割り当て方法はこれに限られるものではなく、対象とするデザインの種類に応じて座標軸の設定を変更することが好ましい。ここでは、第１の印象表現データベースを用いることによって、印象マップの全体を網羅する大まかな印象をユーザから取得し、その印象をドキュメントの制作の目標とする印象を決定するために用いることができる。
【００４２】
ここでは、図６のように、第１の印象表現データベースから読み出された形容詞が列挙表示された目標印象入力画像１００２Ａを出力部１６に表示させる。
【００４３】
ステップＳ１０ｂでは、依頼主は入力部１４を用いて、デザインに要求される印象に沿った情報を選択する。ここでは、第１の印象表現データベースに基づいて表示された選択肢の中からデザイン制作の目標となる印象にあった選択肢をユーザに選択させる。
【００４４】
ドキュメントの制作依頼主は、入力部１４としてマウスを用いて目標印象入力画像１００２に重ね合わせて表示されたマウスポインタ５を移動させ、デザインに要求される印象に合う形容詞に付設されたチェックボックス２８にマウスポインタ５を合わせてマウスをクリックすることによって選択する。選択されたチェックボックス２８には、チェックマークを表示させる。選択が終了すると、マウスポインタ５を決定ボタン２９の位置に移動させ、マウスをクリックすることによって、選択された形容詞の文字情報が記憶部１２に保存される。図６の例では、「のどかな」及び「おとなしい」及び「新鮮な」という文字情報が選択され、記憶部１２に保存される。
【００４５】
なお、印象を表現する情報の選択方法は、これに限られるものではなく、依頼主の入力が容易に行える方法であれば他の方法を用いても良い。
【００４６】
ステップＳ１０ｃでは、制御部１０は、目標印象入力画面１００２Ｂを出力部１６に表示させる。目標印象入力画面１００２Ｂは、図９に示すように、デザインの印象を表現する複数の情報を提示して、依頼主からデザイン制作の目標となる印象にあった情報を選択させるものである。
【００４７】
本実施の形態では、図７（ｂ）の第２の印象表現データベースを用いてドキュメントの印象をユーザから取得する。第２の印象表現データベースは、図１０に示すように、図８に示した印象マップの一部の領域（図１０中の破線が囲んだ領域）を第１の印象表現データベースより詳しく表現する形容詞を含む。すなわち、第２の印象表現データベースを用いることによって、印象マップの二つの直交座標に沿わない別の傾向（ここでは、印象マップの左上から右下に向かう“親近感”から“信頼感”までのデザインの傾向）に沿って、より細かい印象に関する情報をユーザから取得して目標とする印象を決定することができる。
【００４８】
ここでは、図９のように、第２の印象表現データベースから読み出された形容詞が列挙表示された目標印象入力画像１００２Ｂを出力部１６に表示させる。
【００４９】
ステップＳ１０ｄでは、依頼主は入力部１４を用いて、デザインに要求される印象に沿った情報を選択する。ここでは、第２の印象表現データベースに基づいて表示された選択肢の中からデザイン制作の目標となる印象にあった選択肢をユーザに選択させる。ここでの処理はステップＳ１０ｂと同様であるので詳しい説明は省略する。図９の例では、「キュートな」及び「優雅な」という文字情報が選択され、記憶部１２に保存される。
【００５０】
次に、ステップＳ１０ｅにおいて、ステップＳ１０ｂ及びＳ１０ｄで選択された情報に基づいて、ドキュメントのデザイン制作における目標印象情報が定められる。目標印象情報の決定には、印象評価データベースが用いられる。印象評価データベースは、図１１（ａ），（ｂ）のように、各印象表現データベースに対してそれぞれ設けられ、各印象表現データベースに含まれる情報に対して印象情報が関連付けて保持されている。
【００５１】
制御部１０は、ステップＳ１０ｂにおいて選択された情報を記憶部１２から読み出し、図１１（ａ）に示す第１の印象評価データベースを参照することによって、読み出された情報に関連付けられた印象情報を抽出する。抽出された印象情報は、デザインの識別番号に関連付けて記憶部１２に保存される。
【００５２】
例えば、選定された文字情報が「おとなしい」であった場合、図１１（ａ）の第１の印象評価データベースの例では、印象情報として「ナチュラル」が０.９、「プリティ」が０.１の割合で選ばれる。
【００５３】
同様に、制御部１０は、ステップＳ１０ｄにおいて選択された情報を記憶部１２から読み出し、図１１（ｂ）に示す第２の印象評価データベースを参照することによって、読み出された情報に関連付けられた印象情報を抽出する。抽出された印象情報は、デザインの識別番号に関連付けて記憶部１２に保存される。
【００５４】
例えば、選定された文字情報が「キュートな」であった場合、図１１（ｂ）の第２の印象評価データベースの例では、印象情報として「ナチュラル」が０.５、「プリティ」が０.３の割合で選ばれる。
【００５５】
制御部１０は、各印象情報の区分毎にそれぞれの処理で得られた値の積を算出する。上記例では、「ナチュラル」という印象情報に対して、第１の印象評価データベースから０．９、及び、第２の印象評価データベースから０．５が得られているので０．９×０．５＝０．４５が算出される。他の印象情報に対しても同様に積を算出する。そして、最も値が高い印象情報を最終的な目標印象情報として決定する。目標印象情報が決定されると、制御部１０は、ステップＳ０に制御を戻す。
【００５６】
＜変形例＞
なお、目標印象決定工程の処理は、これに限られるものではない。例えば、デザインの対象がプレゼンテーション資料、ウェブページ、新商品の外観又は企業のブランドロゴ等のように複数の色彩が施されたものである場合、複数の色彩の組み合わせであるカラーパレット群や人に対して異なる印象を与える複数の抽象画を印象表現データベースとして登録しておき、それらを目標印象入力画面に列挙表示して、依頼主に選択させることによって、選択されたカラーパレットに関連付けられた目標印象情報を選定することもできる。
【００５７】
以下、図７（ａ）に示す形容詞群からなる文字情報を登録した第１の印象表現データベースと、図１２に示す複数の抽象画を登録した第３の印象表現データベースと、を用いて処理を行う場合について説明する。変形例において、ステップＳ１０は、図１３に示すフローチャートによって処理される。
【００５８】
ステップＳ１０ａ及びＳ１０ｂでは、上記目標印象決定工程と同様に図７（ａ）の第１の印象表現データベースを用いてドキュメントの印象をユーザから取得する。ここでの処理については説明を省略する。
【００５９】
ステップＳ１０ｆでは、制御部１０は、目標印象入力画面１００２Ｃを出力部１６に表示させる。目標印象入力画面１００２Ｃは、図１４に示すように、デザインの印象を表現する複数の抽象画を提示して、依頼主からデザイン制作の目標となる印象にあった抽象画を選択させるものである。
【００６０】
本実施の形態では、図１２の第３の印象表現データベースを用いてドキュメントの印象をユーザから取得する。第３の印象表現データベースは、図１２に示すように、印象マップの少なくとも一部の領域を網羅するような抽象画を複数含む。すなわち、第１の印象表現データベースでは具象化された文字情報によりドキュメントの印象をユーザに選択させ、第３の印象表現データベースでは抽象化された画像によりドキュメントの印象をユーザに選択させることによって、デザイン制作の目標となる印象としてより適切な印象を決定しようとするものである。
【００６１】
ここでは、図１４のように、第３の印象表現データベースから読み出された抽象画が列挙表示された目標印象入力画像１００２Ｃを出力部１６に表示させる。
【００６２】
ステップＳ１０ｇでは、依頼主は入力部１４を用いて、デザインに要求される印象に沿った情報を選択する。ここでの処理はステップＳ１０ｂと同様であるので詳しい説明は省略する。図１４の例では、最初の抽象画１が選択され、その識別子Ａが記憶部１２に保存される。
【００６３】
次に、ステップＳ１０ｈにおいて、ステップＳ１０ｂ及びＳ１０ｇで選択された情報に基づいて、ドキュメントのデザイン制作における目標印象情報が定められる。目標印象情報の決定には、印象評価データベースが用いられる。印象評価データベースは、図１１（ａ）及び図１５のように、各印象表現データベースに対してそれぞれ設けられ、各印象表現データベースに含まれる情報に対して印象情報が関連付けて保持されている。
【００６４】
制御部１０は、ステップＳ１０ｂにおいて選択された情報を記憶部１２から読み出し、図１１（ａ）に示す第１の印象評価データベースを参照することによって、読み出された情報に関連付けられた印象情報を抽出する。抽出された印象情報は、デザインの識別番号に関連付けて記憶部１２に保存される。例えば、選定された文字情報が「おとなしい」であった場合、図１１（ａ）の第１の印象評価データベースの例では、印象情報として「ナチュラル」が０.９、「プリティ」が０.１の割合で選ばれる。
【００６５】
同様に、制御部１０は、ステップＳ１０ｇにおいて選択された抽象画の識別子を記憶部１２から読み出し、図１５に示す第３の印象評価データベースを参照することによって、読み出された識別子に関連付けられた印象情報を抽出する。抽出された印象情報は、デザインの識別番号に関連付けて記憶部１２に保存される。
【００６６】
例えば、選定された文字情報が抽象画１であった場合、図１５の第３の印象評価データベースの例では、抽象画１の識別子Ａに関連付けて登録されている印象情報として「ナチュラル」が０.５、「プリティ」が０.３の割合で選ばれる。
【００６７】
制御部１０は、各印象情報の区分毎にそれぞれの処理で得られた値の積を算出する。上記例では、「ナチュラル」という印象情報に対して、第１の印象評価データベースから０．９、及び、第３の印象評価データベースから０．５が得られているので０．９×０．５＝０．４５が算出される。他の印象情報に対しても同様に積を算出する。そして、最も値が高い印象情報を最終的な目標印象情報として決定する。目標印象情報が決定されると、制御部１０は、ステップＳ０に制御を戻す。
【００６８】
また、本実施の形態では、一人の依頼主のみの情報選択に基づいて目標印象情報を定めるものとしたが、上記工程を繰返すことによって複数の者から得られた情報に基づいて目標印象情報を定めることも好適である。例えば、企業内の複数の役員から企業のコーポレートカラーの目標印象情報を抽出したり、複数の商品開発担当者から商品デザインの目標印象情報を抽出する場合に非常に有効である。この場合、各依頼主に対して印象情報を抽出し、各依頼主に対して抽出された印象情報毎に値の積を算出し、印象情報毎に複数の依頼主に対する印象情報の値の積を足し合わせて、その和が最も大きい印象情報を目標印象情報とする。
【００６９】
また、一人の依頼主が時間を空けて上記工程を繰返すことによって、依頼主の求めるデザインの印象の時間的な変化を考慮して目標印象情報を定めることも好適である。この場合、処理を行う毎に抽出された印象情報毎に値の積を算出し、印象情報毎に印象情報の値の積を足し合わせて、その和が最も大きい印象情報を目標印象情報とする。
【００７０】
２−２．デザイン印象評価工程
ステップＳ０において、デザイン印象評価ボタン２２がクリックされると、ステップＳ２０のデザイン印象評価工程に処理が移行される。
【００７１】
ステップＳ２０のデザイン印象評価工程においては、ドキュメントのデザインの印象に関する情報（以下、デザイン印象情報という）が抽出される。デザイン印象評価工程は、図１６のフローチャートに沿って処理される。
【００７２】
まず、ステップＳ２０ａにおいて、実際のドキュメントデータを取り込み、記憶部１２に格納及び保持する。制御部１０は、図１７のように、デザイン取込画面１００４を出力部１６に表示して、デザイン制作者に対して評価対象となるデザインに関するドキュメントの入力を促す。
【００７３】
例えば、デザイン制作者はウェブページをデザインし、それを予めネットワーク１０４上にアップロードしておく。次に、デザイン取込画面１００４のＵＲＬ入力ボックス３０にそのウェブページのＵＲＬを入力し、デザイン取込画面１００４上に表示されたマウスポインタ５をウェブデザイン取込ボタン３２に移動させて、マウスをクリックすることによって、デザイン印象評価の対象となるウェブページの取得先を指定する。制御部１０は指定を受けると、ネットワーク１０４を介して、指定されたＵＲＬからウェブページのドキュメントデータを取り込む。取り込まれたドキュメントデータは、図１８のように、ドキュメントデータの識別情報（例えばＵＲＬ）と関連付けられてデザインデータベースとして記憶部１２に順次蓄積される。
【００７４】
なお、デザインの識別番号に対して、未だデザインデータベースが生成されていない場合には、デザインの識別番号に関連付けて新たなデザインデータベースを生成する。一方、既にデザインの識別番号に対するデザインデータベースが存在している場合には、既存のデザインデータベースに対してドキュメントデータの識別情報及びドキュメントデータが付加的に蓄積される。
【００７５】
また、制作したウェブページのみならず、例えば、競合他社のウェブページのＵＲＬを指定することによって、それらのウェブページのドキュメントデータを取り込んで評価することも可能である。
【００７６】
なお、デザイン制作の対象がプレゼンテーション資料、新商品又は企業のブランドロゴ等である場合には、スキャナ等の読取装置を用いて、ドキュメントデータを取り込むことも好適である。この場合、デザイン取込画面１００４のドキュメント取込ボタン３４をクリックすることによって、既存のドキュメント読取ツールを起動するようにすることが好ましい。
【００７７】
以下の説明では、例として図１９のウェブページのドキュメントが取り込まれたものとする。
【００７８】
ステップＳ２０ｂでは、取り込まれたドキュメントデータが人間に与える印象の評価を行う。デザインの印象評価には、特願２００２−１８７５２２号等の既存の評価手段を用いることができる。
【００７９】
すなわち、制御部１０は被評価ドキュメントの画像データを記憶部１２から読み出し、図１９のように領域分割する。領域分割には、既存の画像領域分割ツールを用いることができる。次に、面積、位置、大きさ、色平均、他の領域との色差等の物理的特徴量を分割された領域毎に抽出する。
【００８０】
ここで、各領域は、ＲＧＢ色空間からＬ＊ａ＊ｂ＊色空間に変換した後に視覚的な特徴量を抽出することが好適である。通常、コンピュータで利用されるドキュメントデータは、不均等色空間であるＲＧＢ色空間によって表現されていることが多く、人の感覚に近い分析ができない。そこで、不均等色空間であるＲＧＢ色空間から均等色空間であるＬ＊ａ＊ｂ＊色空間に変換することによって、より人の感性に近い印象として分析・評価することができる。また、Ｌ＊ａ＊ｂ＊空間はドキュメントのダイナミックレンジを表現できる点からも好適である。勿論、ドキュメントデータが既にＬ＊ａ＊ｂ＊色空間で表現されている場合には変換をする必要はない。
【００８１】
また、物理的な特徴量とは、着目領域の面積、着目領域の幅ｗ及び高さｈ、左上の位置ｘ，ｙ、着目領域全体の色平均、Ｌ＊成分の平均値、ａ＊成分の平均値、ｂ＊成分の平均値、ドキュメント全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数などの特徴をいう。また、ドキュメントデータの背景領域、背景領域を除く最も大きな領域を持つメイン領域及びメイン領域に対してアクセントとなるアクセント領域から平均色を抽出して特徴量としてもよい。
【００８２】
一方、物理的特徴量の組み合わせに対してデザイン印象情報を関連付けてデザイン評価データベースとして記憶部１２に格納及び保持する。例えば、図２０のように、背景領域、背景領域を除く最も大きな領域を持つメイン領域及びメイン領域に対してアクセントとなるアクセント領域の各領域の色彩（図中ではハッチングで示す）の組を生成し、それらの色彩の組から人間が受ける印象を表すデザイン印象情報を関連付けて保存しておく。
【００８３】
このデザイン評価データベースに基づいて、実際のドキュメントデータの背景領域、メイン領域及びアクセント領域から平均色を抽出し、その平均色の組み合わせからデザイン印象情報を抽出することができる。抽出されたデザイン印象情報は、図１８のように、ドキュメントデータの識別番号及び評価対象となったドキュメントデータと関連付けられてデザインデータベースとして記憶部１２に格納及び保持される。
【００８４】
例えば、図１９のドキュメントデータの背景領域、メイン領域及びアクセント領域の各領域から平均色を抽出すると、図２０のデザイン評価データベースに基づいて、「ナチュラル」というデザイン印象情報を求めることができる。
【００８５】
なお、印象に関する情報を抽出するために用いることができる特徴量は、領域の面積、領域の幅ｗ及び高さｈ、左上の位置ｘ，ｙ、領域全体の色平均、Ｌ＊成分の平均値、ａ＊成分の平均値、ｂ＊成分の平均値、全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数を用いてもよい。
【００８６】
また、これらの特徴量を組み合わせた条件とドキュメントの印象に関する表現情報とを関連付けた多次元の表現情報データベースを用いてもよい。このように、出来る限り多くの特徴量を組み合わせることにより、ドキュメントが人間に与える印象をより詳細なものとすることができる。特に、ドキュメント領域間の色差など、異なるドキュメント領域間の特徴量の差異を含んだ条件を用いることにより、被評価ドキュメントの中で強いコントラストを持つ箇所等から受ける印象を表す表現情報を抽出することも可能となる。
【００８７】
また、ドキュメントデータから得られた物理的特徴量そのものをデザイン印象情報とすることも好適である。例えば、ドキュメントデータの背景領域、メイン領域及びアクセント領域の平均色の組み合わせ自体をカラーパレットとしてデザイン印象情報としても良い。
【００８８】
デザイン印象が選定されると、デザイン印象評価工程を終了し、制御部１０は、ステップＳ０に制御を戻す。
【００８９】
２−３．ユーザ印象取得工程
ステップＳ０において、ユーザ印象取得工程ボタン２４がクリックされると、ステップＳ３０のユーザ印象取得工程に処理が移行される。
【００９０】
ステップＳ３０のユーザ印象取得工程では、ステップＳ２０で取り込まれたドキュメントデータについてユーザが持つ印象（以下、ユーザ印象情報という）の取得を行う。ユーザ印象取得工程は、図２１に示すフローチャートによって処理される。
【００９１】
まず、ステップＳ３０ａにおいて、制御部１０は、ドキュメントデータ選択画面１００６Ａを出力部１６に表示させ、ステップＳ２０で取り込まれたドキュメントデータのうち印象取得の対象となるドキュメントデータの選択を促す。
【００９２】
ドキュメントデータ選択画面１００６は、図２２のように、記憶部１２のデザインデータベースに保持されているドキュメントデータに関する情報を画面上に列挙して表示し、いずれのドキュメントデータに対するユーザ印象情報を取得するか、を選択させるものが好適である。ただし、ドキュメントデータ選択画面１００６の態様はこれに限られるものではなく、デザインデータベースに保持されているドキュメントデータの選択が可能であれば良い。
【００９３】
ドキュメントデータに対する印象の入力を行うユーザは、マウス等の入力部１４を用いて、ドキュメントデータ選択画面１００６のドキュメントデータ（画像データ）に関する各情報に設けられたチェックボックス４０へマウスポインタ５を移動させ、マウスをクリックすることによって情報を選ぶ。次に、選択決定ボタン４２にマウスポインタ５を移動させてマウスをクリックすることにより、ドキュメントデータの選択を決定する。
【００９４】
ステップＳ３０ｂでは、制御部１０は、ユーザ印象入力画面１００８Ａを出力部１６に表示させ、ドキュメントデータを見たユーザが受ける印象の入力を促す。
【００９５】
ユーザ印象入力画面１００８Ａは、図２３のように、選択されたドキュメントデータの内容を表示する領域４３と、デザインの印象を表現する情報を列挙表示する領域４４とに分割される。
【００９６】
制御部１０は、記憶部１２に保持されているデザインデータベースから、ステップＳ３０ａで選択されたドキュメントデータを読み出し、そのドキュメントデータをドキュメントデータ表示領域４３に画像形成して表示する。例えば、ウェブページのドキュメントデータが選択された場合、図２３のように、デザインデータベースからそのドキュメントデータのＵＲＬを読み出し、そのＵＲＬからそのドキュメントデータを取り込んでディスプレイ上に表示する。
【００９７】
さらに、制御部１０は、記憶部１２に保持されている印象表現データベースからデザインの印象を表現する情報を読み出し、印象表現表示領域４４に表示させる。印象表現データベースに含まれる印象を表現する情報は、ステップＳ１０の目標印象決定工程と同様に、デザインの印象を表現する複数の形容詞、色彩の組からなるカラーパレットを含む色彩情報等からドキュメントデータの種類に応じて適宜選択して用いることが好適である。
【００９８】
本実施の形態では、第１の印象情報データベースから複数の形容詞群からなる文字情報を読み出して印象表現表示領域４４に表示させる。
【００９９】
次に、ステップＳ３０ｃにおいて、ユーザは、ドキュメントデータ表示領域４３に表示されたドキュメントのデザインを見たときに感ずる印象に合った情報を入力部１４を用いて選択する。
【０１００】
例えば、図２３のように、形容詞が列挙された印象表現表示領域４４にマウスポインタ５を表示しておき、ユーザはマウスを用いて、デザインから受ける印象に合致する形容詞に設けられたチェックボックス４６にマウスポインタ５を移動させ、マウスをクリックして選択する。選択されたチェックボックス４６にはチェックマークを表示させる。スクロールボタン４８上にマウスポインタ５を移動させ、マウスをクリックすることにより形容詞の表示を適宜変更することができる。形容詞の選択が終了すると、マウスポインタ５を決定ボタン４７の位置まで移動させてマウスをクリックすることによって、選択された形容詞の文字情報が記憶部１２に保存される。例えば、図２３では、「のどかな」及び「しゃれた」という文字情報が選択され、記憶部１２に保存される。
【０１０１】
ユーザの印象を取得する方法はこれに限られるものではない。すなわち、ユーザがドキュメントデータのデザインに対する印象を容易に入力できるものであれば良い。
【０１０２】
ステップＳ３０ｄでは、制御部１０は、ユーザ印象入力画面１００８Ｂを出力部１６に表示させ、ドキュメントデータを見たユーザが受ける印象の入力を促す。
【０１０３】
ユーザ印象入力画面１００８Ｂは、図２４のように、選択されたドキュメントデータの内容を表示する領域４３と、デザインの印象を表現する情報を列挙表示する領域４４とに分割される。ユーザ印象入力画面１００８Ｂは、上記ステップＳ３０ｂと同様に表示されるが、記憶部１２に保持されている第２の印象表現データベースからデザインの印象を表現する情報を読み出して印象表現表示領域４４に表示させる点で処理が異なる。
【０１０４】
次に、ステップＳ３０ｅにおいて、ユーザは、ドキュメントデータ表示領域４３に表示されたドキュメントのデザインを見たときに感ずる印象に合った情報を入力部１４を用いて選択する。ステップＳ３０ｅは、図２４のユーザ印象入力画面１００８Ｂを用いて、上記ステップＳ３０ｃと同様に処理される。図２４の例では、「子供らしい」及び「優雅な」という文字情報が選択され、記憶部１２に保存される。
【０１０５】
次に、ステップＳ３０ｆにおいて、ステップＳ３０ｃ及びＳ３０ｅで選択された情報に基づいて、ユーザ印象情報が定められる。ユーザ印象情報の決定には、ステップＳ１０の目標印象決定工程で用いられた印象評価データベースが使用される。印象評価データベースは、図１１（ａ），（ｂ）のように、各印象表現データベースに対してそれぞれ設けられ、各印象表現データベースに含まれる情報に対して印象情報が関連付けて保持されている。
【０１０６】
制御部１０は、ステップＳ３０ｃにおいて選択された情報を記憶部１２から読み出し、図１１（ａ）に示す第１の印象評価データベースを参照することによって、読み出された情報に関連付けられた印象情報を抽出する。抽出された印象情報は、デザインの識別番号に関連付けて記憶部１２に保存される。また、制御部１０は、ステップＳ３０ｅにおいて選択された情報を記憶部１２から読み出し、図１１（ｂ）に示す第２の印象評価データベースを参照することによって、読み出された情報に関連付けられた印象情報を抽出する。抽出された印象情報は、デザインの識別番号に関連付けて記憶部１２に保存される。
【０１０７】
制御部１０は、各印象情報の区分毎にそれぞれの処理で得られた値の積を算出する。そして、最も値が高い印象情報を最終的なユーザ印象情報として決定する。ユーザ印象情報が決定されると、図２５のように、ドキュメントデータと関連付けられてユーザ印象情報データベースとして記憶部１２に保存される。
【０１０８】
なお、未だユーザ印象情報データベースが生成されていない場合には、デザインの識別番号毎にユーザ印象情報データベースを生成する。一方、デザインの識別番号に対してユーザ印象情報データベースが存在している場合には、既存のユーザ印象情報データベースにドキュメントデータ及びユーザ印象情報が付加される。
【０１０９】
ユーザ印象情報が選定されると、ユーザ印象取得工程を終了し、制御部１０は、ステップＳ０に制御を戻す。
【０１１０】
＜変形例＞
なお、ユーザ印象決定工程の処理は、これに限られるものではない。例えば、デザインの対象がプレゼンテーション資料、ウェブページ、新商品の外観又は企業のブランドロゴ等のように複数の色彩が施されたものである場合、複数の色彩の組み合わせであるカラーパレット群や人に対して異なる印象を与える複数の抽象画を印象表現データベースとして登録しておき、それらをユーザ印象入力画面に列挙表示して、依頼主に選択させることによって、選択されたカラーパレットに関連付けられた印象情報を選定することもできる。
【０１１１】
例えば、図１２に示す複数の抽象画を登録した第３の印象表現データベースを用いて処理を行う場合、第３の印象表現データベースに登録されている複数の抽象画を読み出してユーザ印象入力画面の印象表現表示領域４４に表示させる。そして、ユーザに、ドキュメントデータ表示領域４３に表示されたドキュメントのデザインを見たときに感ずる印象に合った情報を入力部１４を用いて選択させる。
【０１１２】
そして、選択された情報に基づいて、ドキュメントからユーザが受けた印象を示すユーザ印象情報が定められる。目標印象情報の決定には、印象評価データベースが用いられる。印象評価データベースは、図１５のように、各印象表現データベースに対して設けられ、印象表現データベースに含まれる情報に対して印象情報が関連付けて保持されている。制御部１０は、各印象情報の区分毎にそれぞれの処理で得られた値の積を算出し、最も値が高い印象情報を最終的なユーザ印象情報として決定する。ユーザ印象情報が決定されると、制御部１０は、ステップＳ０に制御を戻す。
【０１１３】
また、本実施の形態では、一人のユーザのみの情報選択に基づいてユーザ印象情報を定めるものとしたが、上記工程を繰返すことによって複数の者から得られた情報に基づいてユーザ印象情報を定めることも好適である。これによって、ドキュメントデータに対して幅広く客観的な印象の評価を得ることができる。また、一人のユーザが時間を空けて上記工程を繰返すことによって、ユーザ印象情報を定めることも好適である。
【０１１４】
２−４．印象提示・修正工程
ステップＳ０において、印象提示・修正工程ボタン２６がクリックされると、ステップＳ４０の印象提示・修正工程に処理が移行される。
【０１１５】
ステップＳ４０の印象提示・修正工程は、図２６に示すフローチャートに沿って実行され、ステップＳ１０で求めた目標印象情報、ステップＳ２０で求めたデザイン印象情報及びステップＳ３０で求めたユーザ印象情報の表示を行う。
【０１１６】
まず、ステップＳ４０ａにおいて、制御部１０は、表示選択画面１０１０を出力部１６に表示させ、いずれの情報の表示を行うかを操作者に選択させる。
【０１１７】
表示選択画面１０１０では、図２７のように、表示の対象となるデザインの識別番号を入力ボックス５４に入力する。また、チェックボックス５０を選択して、決定ボタン５２をクリックすることによって、目標印象情報、デザイン印象情報及びユーザ印象情報の中から表示する情報を選択する。
【０１１８】
次に、表示する情報の入力を受けた制御部１０は、ステップＳ４０ｂにおいて、印象マップ画面１０１２上に目標印象情報、デザイン印象情報又はユーザ印象情報を表示する。
【０１１９】
印象マップ画面１０１２は、図２８のように、複数の領域に分割されており、各々の領域に領域識別番号が付与されている。一方、記憶部１２には、図２９に示すように、印象表示用データベースとして、領域識別番号毎に印象を表現する情報が対応付けられて保持されている。
【０１２０】
制御部１０は、印象表示用データベースを参照することによって、目標印象情報、デザイン印象情報又はユーザ印象情報に対応付けられている領域識別番号を抽出する。そして、抽出された領域識別番号が付与された印象マップ画面１０１２上の領域に対応する各情報を表示する。
【０１２１】
ここで、印象マップ画面１０１２に座標軸を設けて、その座標軸に沿って印象が所定の傾向で変化していくように領域識別番号を割り付けることが好適である。
【０１２２】
例えば、図２８に示す印象マップ画面１０１２の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す情報が割り当てられている。なお、印象マップ画面１０１２上への情報の割り当て方法はこれに限られるものではなく、対象とするデザインの種類に応じて座標軸の設定を変更することが好ましい。
【０１２３】
ステップＳ４０ａにおいて目標印象情報が選択された場合、図３０のように、デザイン識別番号に関連付けられた目標印象情報が印象マップ画面１０１２に重ね合わせて表示される。
【０１２４】
ステップＳ４０ａにおいてデザイン印象情報が選択された場合、図３１のように、デザイン識別番号に関連付けられたデザインデータベースに含まれるデザイン印象情報が印象マップ画面１０１２に重ね合わせて表示される。このとき、デザインデータベースに含まれるドキュメントデータ毎に情報の表示色を変更する等して、表示された情報の識別を容易にすることが好ましい。また、各々のデザイン印象情報の代わりに、又は、各々のデザイン印象情報と併せて、それらに対応するドキュメントデータ自体を表示することも好適である。
【０１２５】
ステップＳ４０ａにおいてユーザ印象情報が選択された場合、図３２のように、デザイン識別番号に関連付けられたユーザ印象情報データベースに含まれるユーザ印象情報が印象マップ画面１０１２に重ね合わせて表示される。このとき、ユーザ印象情報データベースに含まれるドキュメントデータ毎に情報の表示色を変更する等して、表示された情報の識別を容易にすることが好ましい。
【０１２６】
さらに、ステップＳ４０ａにおいて、目標印象情報とデザイン印象情報の両方が選択された場合、図３３のように、デザイン識別番号に関連付けられた目標印象情報及びデザイン印象情報の両方が印象マップ画面１０１２に重ね合わせて表示される。同様に、目標印象情報とユーザ印象情報の両方が選択された場合、デザイン印象情報とユーザ印象情報の両方が選択された場合、又は目標印象情報、デザイン印象情報及びユーザ印象情報の全てが選択された場合にも各々の情報を印象マップ画面１０１２に重ね合わせて表示する。
【０１２７】
このように、目標印象情報、デザイン印象情報及びユーザ印象情報を１つの印象マップ画面１０１２に重ね合わせて表示することによって、デザイン制作者、依頼主及びユーザがデザイン制作の目標となる印象、実際のデザインが有する印象及び実際のデザインからユーザが受け取る印象を視覚的に比較しながら確認することができる。このとき、印象マップ画面１０１２上では、各々の情報が印象傾向を示す座標軸に沿って表示されるため、目標となる印象、実際のデザインの印象及びユーザの受け取る印象がどの程度相違するのか、その相違はどのような傾向であるのか、等を明確に把握することができる。
【０１２８】
さらに、ステップＳ２０において、他社のウェブページや他の商品のデザインに対してデザイン印象情報を求めておくことにより、これらの情報と目標印象情報を比較して確認することもできる。これにより、他社のウェブページや他の商品の印象と制作するデザインの目標印象との一致又は相違を把握することが容易となる。
【０１２９】
さらに、ステップＳ３０において、同一のデザインに対して複数のユーザからのユーザ印象情報を取得しておくことによって、印象マップ画面１０１２上においてユーザ印象情報の分布傾向を容易に確認することができる。また、目標印象情報やデザイン印象情報と、ユーザ印象情報の分布傾向の一致又は相違を一見して確認することができる。
【０１３０】
なお、印象マップ画面１０１２上の各領域に抽象画を対応付けておき、目標印象情報、デザイン印象情報及びユーザ印象情報として形容詞の代わり、又は、形容詞と共に抽象画を目標印象情報、デザイン印象情報及びユーザ印象情報に対応する領域に表示しても良い。カラーパレットを用いた場合も同様である。
【０１３１】
さらに、本実施の形態では、目標印象情報の修正を行うことやデザイン印象の修正に役立つ情報の提示を行うこともできる。印象マップ画面１０１２上の目標印象修正ボタン６４又はデザイン印象修正情報提示ボタン６５にマウスポインタ５を移動させてマウスをクリックすることによって、ステップＳ４０ｃに処理が移行される。
【０１３２】
目標印象情報の修正が指示されると、制御部１０は目標印象情報の設定処理を開始する。
【０１３３】
操作者は、印象マップ画面１０１２上に表示されたデザイン印象情報やユーザ印象情報を参照しながら、印象マップ画面１０１２上の領域にマウスポインタ５を移動させてマウスをクリックする。制御部１０は、マウスポインタ５の位置を取得し、印象表現用データベースを参照することによって、その領域に割り当てられた印象を表現する情報を新たな目標印象情報として設定する。ここで、設定された新たな目標印象情報の確認を容易にするために、目標印象情報を表示する領域６６を設けて目標印象情報を表示させることも好適である。
【０１３４】
上記目標印象情報の設定方法を用いれば、例えば、競合他社のウェブデザインをデザイン印象情報として印象マップ画面１０１２上に重ね合わせて表示しておき、自社のウェブデザインの目標印象を競合他社のウェブデザインの印象と異なるものとしたいときには、競合他社のウェブデザインのデザイン印象情報が表示された領域と重複しない領域を指定することによって適切な目標印象情報を容易に設定することができる。逆に、競合他社と似通った印象を有するウェブデザインとしたい場合には、競合他社のウェブデザインのデザイン印象情報が表示された領域を指定することによって適切な目標印象情報を設定することができる。同様に、ユーザ印象情報を印象マップ画面１０１２上に重ね合わせて表示することによって、ユーザが受け取る印象を参考にしながら新たな目標印象情報を設定することも可能である。
【０１３５】
また、印象マップ画面１０１２に設けられたデザイン印象修正情報提示ボタン６５にマウスポインタ５を移動させ、マウスをクリックすることによって、操作者がデザイン印象情報の修正に必要な情報を提示することもできる。例えば、印象マップ画面１０１２の各領域に割り当てられた印象に相応しいデザインの背景領域、メイン領域及びアクセント領域の色彩の組み合わせを予めデータベース化しておき、目標印象情報が表示された領域に対応する色彩の組を印象マップ画面１０１２に重ね合わせて表示させることが好適である。デザインを表示された色彩の組み合わせに変更することで、目標印象に近づけることができる。
【０１３６】
このように、目標印象情報の修正やデザイン修正の支援情報の提示を同一の印象マップ画面１０１２上において行うことによって、目標とする印象、実際のデザインの印象、ユーザが受け取る印象を視覚的に確認しながら作業を行うことができる。
【０１３７】
すなわち、本実施の形態によれば、デザイン制作の目標となる印象、実際のデザインが有する印象及び実際のデザインからユーザが受ける印象の一致や相違を同一の印象マップ画面上で確認することができる。
【０１３８】
それにより、依頼主やデザイン制作者はデザイン制作の目標印象設定の適否を視覚的に把握することができ、目標印象やデザイン印象の修正を容易に行うことが可能となる。また、デザイン制作の作業において依頼主とデザイン制作者との情報の擦り合わせが容易となって作業を円滑に行うことができる。
【０１３９】
さらに、依頼主が目標とする印象や制作したデザインからユーザが受ける印象に基づいて、デザインの修正の方向性を見出すことが容易となる。
【０１４０】
なお、上記実施の形態においては、ウェブページ、プレゼンテーション資料、商品のデザイン等の視覚的なデザインを対象としたが、コマーシャル音声等の音声データに対しても目標印象情報、デザイン印象情報及びユーザ印象情報を取得して、同一の印象マップ画面上に表示することで同様の効果を得ることができる。
【図面の簡単な説明】
【０１４１】
【図１】本発明の実施の形態におけるデザイン制作支援装置の全体構成のブロック図を示す。
【図２】本発明の実施の形態におけるマネジメントサーバの構成のブロック図を示す。
【図３】本発明の実施の形態におけるデザイン制作支援方法のメインのフローチャートを示す図である。
【図４】本発明の実施の形態におけるメインメニュー画面を示す図である。
【図５】本発明の実施の形態における目標印象決定工程のフローチャートを示す図である。
【図６】本発明の実施の形態における目標印象入力画面を示す図である。
【図７】本発明の実施の形態における印象表現データベースを示す図である。
【図８】本発明の実施の形態における印象マップを示す図である。
【図９】本発明の実施の形態における目標印象入力画面を示す図である。
【図１０】本発明の実施の形態における第２の印象表現データベースの印象マップ上の分布を示す図である。
【図１１】本発明の実施の形態における印象評価データベースを示す図である。
【図１２】本発明の実施の形態における第３の印象表現データベースを示す図である。
【図１３】本発明の実施の形態における目標印象決定工程の変形例のフローチャートを示す図である。
【図１４】本発明の実施の形態における目標印象入力画面を示す図である。
【図１５】本発明の実施の形態における第３の印象評価データベースを示す図である。
【図１６】本発明の実施の形態におけるデザイン印象評価工程のフローチャートを示す図である。
【図１７】本発明の実施の形態におけるデザイン印象評価画面を示す図である。
【図１８】本発明の実施の形態におけるデザインデータベースを示す図である。
【図１９】本発明の実施の形態におけるウェブページの例を示す図である。
【図２０】本発明の実施の形態におけるデザイン評価データベースを示す図である。
【図２１】本発明の実施の形態におけるユーザ印象取得工程のフローチャートを示す図である。
【図２２】本発明の実施の形態におけるドキュメントデータ選択画面を示す図である。
【図２３】本発明の実施の形態におけるユーザ印象入力画面を示す図である。
【図２４】本発明の実施の形態におけるユーザ印象入力画面を示す図である。
【図２５】本発明の実施の形態におけるユーザ印象情報データベースを示す図である。
【図２６】本発明の実施の形態における印象提示・修正工程のフローチャートを示す図である。
【図２７】本発明の実施の形態における表示選択画面を示す図である。
【図２８】本発明の実施の形態における印象マップ画面を示す図である。
【図２９】本発明の実施の形態における印象表示用データベースを示す図である。
【図３０】目標印象情報を重ね合わせて表示した印象マップ画面を示す図である。
【図３１】デザイン印象情報及びドキュメントデータを重ね合わせて表示した印象マップ画面を示す図である。
【図３２】ユーザ印象情報を重ね合わせて表示した印象マップ画面を示す図である。
【図３３】目標印象情報、デザイン印象情報及びドキュメントデータを重ね合わせて表示した印象マップ画面を示す図である。
【図３４】デザイン制作のフローチャートを示す図である。
【符号の説明】
【０１４２】
５  マウスポインタ、１０  制御部、１２  記憶部、１４  入力部、１５  入力ボックス、１６  出力部、１８  ネットワークインターフェース部、２０  目標印象決定ボタン、２２  デザイン印象評価ボタン、２４  ユーザ印象取得ボタン、２６  印象提示・修正ボタン、２８  チェックボックス、２９  決定ボタン、３０  入力ボックス、３２  ウェブデザイン取込ボタン、３４  ドキュメント取込ボタン、３６  背景領域、３７  メイン領域、３８  アクセント領域、４０  チェックボックス、４２  選択決定ボタン、４３  ドキュメントデータ表示領域、４４  印象表現表示領域、４６  チェックボックス、４７  決定ボタン、４８  スクロールボタン、５０  チェックボックス、５２  決定ボタン、５４  入力ボックス、６０  印象情報表示領域、６２ａ  Ｘ座標軸、６２ｂ  Ｙ座標軸、６４  目標印象修正ボタン、６５  デザイン印象修正情報提示ボタン、６６  目標印象表示領域、６８  ドキュメントデータの表示、１００  マネジメントサーバ、１０２ａ，１０２ｂ，１０２ｃ  クライアントコンピュータ、１０４  ネットワーク、１０００  メインメニュー画面、１００２  目標印象入力画面、１００４  デザイン取込画面、１００６  ドキュメントデータ選択画面、１００８  ユーザ印象入力画面、１０１０  表示選択画面、１０１２  印象マップ画面。
【図１】
0004802825.tif 000002
【図２】
0004802825.tif 000003
【図３】
0004802825.tif 000004
【図４】
0004802825.tif 000005
【図５】
0004802825.tif 000006
【図６】
0004802825.tif 000007
【図７】
0004802825.tif 000008
【図８】
0004802825.tif 000009
【図９】
0004802825.tif 000010
【図１０】
0004802825.tif 000011
【図１１】
0004802825.tif 000012
【図１２】
0004802825.tif 000013
【図１３】
0004802825.tif 000014
【図１４】
0004802825.tif 000015
【図１５】
0004802825.tif 000016
【図１６】
0004802825.tif 000017
【図１７】
0004802825.tif 000018
【図１８】
0004802825.tif 000019
【図１９】
0004802825.tif 000020
【図２０】
0004802825.tif 000021
【図２１】
0004802825.tif 000022
【図２２】
0004802825.tif 000023
【図２３】
0004802825.tif 000024
【図２４】
0004802825.tif 000025
【図２５】
0004802825.tif 000026
【図２６】
0004802825.tif 000027
【図２７】
0004802825.tif 000028
【図２８】
0004802825.tif 000029
【図２９】
0004802825.tif 000030
【図３０】
0004802825.tif 000031
【図３１】
0004802825.tif 000032
【図３２】
0004802825.tif 000033
【図３３】
0004802825.tif 000034
【図３４】
0004802825.tif 000035